(57)【要約】【課題】接続中のふろ給湯機が有するお湯のわき増し機能に応じた動作を行なうリモートコントローラを得ること。【解決手段】ふろ給湯機を遠隔操作するとともに、ふろ給湯機への動作設定に応じた情報を音および／または表示で報知する台所リモコンにおいて、貯湯式タンク内で減少した分のお湯をわき増す機能のうち予め設定した何れかのわき増し機能がふろ給湯機１０に設定されている場合に、接続中のふろ給湯機１０からふろ給湯機１０に設定されているわき増し機能に関する機能情報を受信する通信回路２ｃと、ふろ給湯機１０への動作設定に応じた情報を音で報知するスピーカ２ｈおよび表示で報知する表示器２ｅと、ふろ給湯機１０への動作設定を行なう際に、機能情報に基づいて、接続中のふろ給湯機１０に設定されているわき増し機能への動作設定に応じた情報を報知するよう制御するマイコン２ｄと、を備える。【選択図】        図２
2008292038.tif 000002
【特許請求の範囲】
【請求項１】
ふろ給湯機を遠隔操作するとともに、前記ふろ給湯機への動作設定に応じた情報を音および／または表示で報知するリモートコントローラにおいて、
前記ふろ給湯機と通信を行うとともに、貯湯式タンク内で減少した分のお湯をわき増す機能のうち予め設定した何れかのわき増し機能がふろ給湯機に設定されている場合に、接続中の前記ふろ給湯機から当該ふろ給湯機に設定されているわき増し機能に関する機能情報を受信する通信部と、
前記ふろ給湯機への動作設定に応じた情報を音および／または表示で外部へ報知する報知部と、
前記ふろ給湯機への動作設定を行なう際に、前記機能情報に基づいて、前記接続中のふろ給湯機に設定されているわき増し機能への動作設定に応じた情報を報知するよう前記報知部を制御する制御部と、
を備えることを特徴とするリモートコントローラ。
【請求項２】
前記ふろ給湯機へ設定されるわき増し機能は、前記貯湯式タンクのお湯を所定量まで昼間電力でわき増す昼間わき増し機能、前記貯湯式タンクのお湯を深夜電力でわき増す深夜わき増し機能、前記昼間わき増し機能の一部と深夜わき増し機能の一部とを組合せた組合せ機能、または前記昼間わき増し機能および前記深夜わき増し機能以外のその他の機能の何れかであり、
前記制御部は、前記昼間わき増し機能への動作設定に応じた情報、前記深夜わき増し機能への動作設定に応じた情報、前記組合せ機能への動作設定に応じた情報または前記その他の機能に応じた情報の何れかを、前記機能情報に基づいて報知するよう前記報知部を制御することを特徴とする請求項１に記載のリモートコントローラ。
【請求項３】
前記制御部は、前記通信部を介して取得した機能情報を記憶しておき、次に前記ふろ給湯機への動作設定を行なう際には、記憶しておいた前記機能情報に基づいて前記報知部を制御することを特徴とする請求項１または２に記載のリモートコントローラ。
【請求項４】
電気温水器を用いたふろ給湯機と、前記ふろ給湯機を遠隔操作するとともに前記ふろ給湯機への動作設定に応じた情報を音および／または表示で報知するリモートコントローラとを有したふろ給湯システムにおいて、
前記ふろ給湯機は、
前記リモートコントローラと通信を行うとともに、貯湯式タンク内で減少した分のお湯をわき増す機能のうち予め設定した何れかのわき増し機能が自装置に設定されている場合に、自装置に設定されているわき増し機能に関する機能情報を前記リモートコントローラへ送信する第１の通信部と、
前記リモートコントローラからの指示に基づいて、自装置に設定されているわき増し機能を制御する第１の制御部と、
を備え、
前記リモートコントローラは、
前記ふろ給湯機と通信を行うとともに前記ふろ給湯機から前記機能情報を受信する第２の通信部と、
前記ふろ給湯機への動作設定に応じた情報を音および／または表示で外部へ報知する報知部と、
前記ふろ給湯機への動作設定を行なう際に、前記機能情報に基づいて、前記接続中のふろ給湯機に設定されているわき増し機能への動作設定に応じた情報を報知するよう前記報知部を制御する第２の制御部と、
を備えることを特徴とするふろ給湯システム。
【発明の詳細な説明】
【技術分野】
【０００１】
本発明は、給湯機のわき増し機能に応じた動作を行なうリモートコントローラおよびふろ給湯システムに関するものである。
【背景技術】
【０００２】
近年、種々のわき増し機能を有した給湯機が開発されている。例えば，従来の給湯機の１つに、貯湯式タンク内で減少したお湯を、貯湯式タンク全量のうちの所定量（例えば貯湯式タンク内の２０％や５０％相当量の上部のみ）まで昼間電力を用いてわき増す機能（以下、昼間わき増しという）を持った機種がある。この機種の給湯機は、台所等の壁に設置された上部わき増し機種専用のリモートコントローラ（以下、リモコンという）のスイッチへの入力操作によって、昼間わき増し（上部わき増し）の開始および停止等の動作が指令されている。
【０００３】
また、別の機種の給湯機として、貯湯式タンク内で減少したお湯を、夜間（深夜）時間帯にのみわき増す機能（以下、深夜わき増しという）を持った機種（昼間電力を用いてわき増すことを禁止し電気代を節約する機種）がある。この機種の給湯機は、台所等の壁に設置された深夜わき増し機種専用のリモコンのスイッチへの入力操作によって、深夜わき増しの開始および停止等の動作が指令されている。
【０００４】
これらの昼間わき増し機種の給湯機のリモコンや深夜わき増し機種の給湯機のリモコンには、入力操作に応じた機種独自の音声、電子音等による報知機能や入力操作に応じた機種独自の表示機能が設けられており、入力操作の内容を音と表示によって分りやすく操作者に通知するようにしている。
【０００５】
このように、従来のリモコンでは、機種独自の音声や表示によって、操作者に入力操作の内容を通知している。このため、減少した貯湯式タンク内のお湯をわき増す機能が異なるふろ給湯機（上部わき増し、深夜わき増し）毎に、入力操作に応じた通知内容や、スイッチ名称等に相違があった。従来までは、一つの機種にしか対応することができないリモコン（機種と１対１で対応した各機種専用のリモコン）を機種毎に生産していたので、機種数が増加することによって、リモコンの生産効率や物流効率、リモコン提供のサービス効率が悪化していた。さらに、消費者には、リモコン購入の際にふろ給湯機とリモコンとの組み合わせ選定の煩わしさが生じてしまう。また、リモコンの発注時や据付時に、給湯機とリモコンとの機種違いが発生してしまう場合があった。
【０００６】
特許文献１に記載のリモコン装置は、リモコン装置で対応できない給湯機がリモコン装置に接続された場合に、リモコン装置では未対応の給湯機が接続されている旨をユーザに報知している。
【０００７】
【特許文献１】特開２０００−３２４５６１号公報
【発明の開示】
【発明が解決しようとする課題】
【０００８】
しかしながら、上記従来の技術では、所定の機能に限定することなくリモコン装置で未対応の給湯機が接続されたか否かを判断しているので、未対応の給湯機が接続された場合には給湯機の機能に応じたリモコンの操作を行なうことができないという問題があった。また、減少した貯湯式タンク内のお湯をわき増す機能が給湯機毎に設定されている場合に、これらの給湯機に対して、給湯機のわき増し機能に応じたリモコンの動作を行なうことができないという問題があった。
【０００９】
本発明は、上記に鑑みてなされたものであって、貯湯式タンク内で減少したお湯をわき増す機能がふろ給湯機毎に設定されている場合に、接続中のふろ給湯機が有するお湯のわき増し機能に応じた動作を行なうリモートコントローラおよびふろ給湯システムを得ることを目的とする。
【課題を解決するための手段】
【００１０】
上述した課題を解決し、目的を達成するために、本発明は、ふろ給湯機を遠隔操作するとともに、前記ふろ給湯機への動作設定に応じた情報を音および／または表示で報知するリモートコントローラにおいて、前記ふろ給湯機と通信を行うとともに、貯湯式タンク内で減少した分のお湯をわき増す機能のうち予め設定した何れかのわき増し機能がふろ給湯機に設定されている場合に、接続中の前記ふろ給湯機から当該ふろ給湯機に設定されているわき増し機能に関する機能情報を受信する通信部と、前記ふろ給湯機への動作設定に応じた情報を音および／または表示で外部へ報知する報知部と、前記ふろ給湯機への動作設定を行なう際に、前記機能情報に基づいて、前記接続中のふろ給湯機に設定されているわき増し機能への動作設定に応じた情報を報知するよう前記報知部を制御する制御部と、を備えることを特徴とする。
【発明の効果】
【００１１】
この発明によれば、ふろ給湯機への動作設定を行なう際に、ふろ給湯機に設定されているわき増し機能に関する情報に基づいて、わき増し機能への動作設定に応じた情報を報知するので、接続中のふろ給湯機が有するお湯のわき増し機能に応じた動作を容易に行なうことが可能になるという効果を奏する。
【発明を実施するための最良の形態】
【００１２】
以下に、本発明に係るリモートコントローラ（リモコン）およびふろ給湯システムの実施の形態を図面に基づいて詳細に説明する。なお、この実施の形態によりこの発明が限定されるものではない。
【００１３】
実施の形態
図１は、本発明の実施の形態に係るふろ給湯システムの構成を示すブロック図である。ふろ給湯システム１００は、ふろ給湯機（本体）１０、台所リモコン２０、浴室リモコン３０、ヒートポンプユニット４００を備えて構成されている。
【００１４】
ふろ給湯機（給湯ユニット）１０は、ヒートポンプユニット４０と配管（図示せず）で接続されている。ふろ給湯機１０は、貯湯式タンク（図示せず）と、台所リモコン２０や浴室リモコン３０からの指示に基づいて、ヒートポンプユニット４０や貯湯式タンクを制御する制御部１ａとを有している。制御部１ａは、ヒートポンプユニット４０を制御して、貯湯式タンク内のお湯（水）を所定のわき増し（わき上げ）設定温度で所定の設定湯量だけわき増しさせることによって自動ふろ給湯制御を行なう。
【００１５】
台所リモコン２０は、ふろ給湯機１０やヒートポンプユニット４０の遠隔（台所や洗面所等の壁面）に配置されるリモコンである。台所リモコン２０は、ユーザから外部入力される指令に基づいて、わき増し設定温度、設定湯量等の設定値の設定や変更、わき増し機能等の動作（開始や停止）を、ふろ給湯機１０に指示する制御部２ａを有している。
【００１６】
また、台所リモコン２０は、減少した貯湯式タンク内のお湯をわき増す指令を入力するためのスイッチ（操作スイッチ）２ｉを備えている。スイッチ２ｉから入力された指令は、制御部２ａを介してふろ給湯機１０に送られる。
【００１７】
浴室リモコン３０は、ふろ給湯機１０やヒートポンプユニット４０の遠隔（浴室内の壁面）に配置されるリモコンであり、台所リモコン２０と同様の機能を有している。浴室リモコン３０は、ユーザから外部入力される指令に基づいて、わき増し設定温度、設定湯量等の設定値の設定や変更、わき増し機能等の動作（開始や停止）を、ふろ給湯機１０に指示する制御部３ａを有している。
【００１８】
本実施の形態の台所リモコン２０や浴室リモコン３０は、ふろ給湯機１０に設定されるわき増し機能およびふろ給湯機１０への動作設定に応じた情報（メッセージなど）を音や表示で報知する。
【００１９】
ヒートポンプユニット４０は、ふろ給湯機１０の近傍に設置されている。ヒートポンプユニット４０は、ふろ給湯機１０の制御部１ａから送られてくる指示に基づいて、貯湯式タンク内のお湯（水）をわき増し制御する制御部４ａを有している。
【００２０】
ふろ給湯システム１００では、ふろ給湯機１０の制御部１ａが、台所リモコン２０の制御部２ａ、浴室リモコン３０の制御部３ａ、ヒートポンプユニット４０の制御部４ａにそれぞれ接続されている。
【００２１】
ふろ給湯機１０は、例えば貯湯式タンク内で減少したお湯をわき増す機能として、昼間わき増し機能（上部わき増し）を有した機種、深夜わき増し機能を有した機種の何れかを有している。本実施の形態のふろ給湯システム１００では、この２機種うちの何れかの機種のふろ給湯機１０が取り付けられているものとする。換言すると、ふろ給湯システム１００内では、予め設定してもよいわき増し機能を限定しておく。
【００２２】
つぎに、ふろ給湯システム１００の各装置の詳細な構成を図２を参照して説明する。図２は、図１に示したふろ給湯システムの詳細構成を示したブロック図である。ふろ給湯機１０の制御部１ａは、電源部１ｂと、通信回路１ｃと、マイコン（制御マイコン）１ｄとを備えている。
【００２３】
マイコン１ｄは、ふろ給湯システム１００内（台所リモコン２０、浴室リモコン３０、ヒートポンプユニット４０との間）で送受信する通信信号の解析や通信信号の送受信制御（通信回路１ｃの制御）を行うマイクロコンピュータである。マイコン１ｄは、台所リモコン２０や浴室リモコン３０からの指示（通信信号）に基づいて、ヒートポンプユニット４０を制御するための指示（通信信号）をヒートポンプユニット４０に送る。
【００２４】
本実施の形態のマイコン１ｄは、台所リモコン２０や浴室リモコン３０からの要求に応じた情報（ふろ給湯機１０の備えるわき増し機能に関する情報）（以下、機能情報という）を通信信号として台所リモコン２０や浴室リモコン３０に送信する。マイコン１ｄからの通信信号は、通信回路１ｃを介してヒートポンプユニット４０に送られる。
【００２５】
通信回路１ｃは、マイコン１ｄから送られてくる通信信号をふろ給湯システム１００内で送受信できる通信信号に変換して台所リモコン２０、浴室リモコン３０、ヒートポンプユニット４０に送信する。また、通信回路１ｃは、台所リモコン２０、浴室リモコン３０、ヒートポンプユニット４０から送られてくる通信信号をマイコン１ｄで処理できる通信信号に変換してマイコン１ｄに送信する。電源部１ｂは、通信回路１ｃやマイコン１ｄに電力を供給する。
【００２６】
台所リモコン２０の制御部２ａは、電源部２ｂと、通信回路２ｃと、マイコン２ｄと、表示器２ｅと、音声ＩＣ（Integrated Circuit）２ｆと、アンプ２ｇと、スピーカ２ｈと、スイッチ２ｉとを備えている。
【００２７】
マイコン２ｄは、ふろ給湯システム１００内（ふろ給湯機１０、浴室リモコン３０、ヒートポンプユニット４０との間）で送受信する通信信号の解析や通信信号の送受信制御（通信回路２ｃの制御）を行うマイクロコンピュータである。マイコン２ｄは、スイッチ２ｉに入力される指示に基づいて、ふろ給湯機１０に所定の指示（お湯のわき増し温度や設定湯量等のわき増しに関する指示など）を送る。
【００２８】
本実施の形態のマイコン２ｄは、ふろ給湯機１０から機能情報を取得する。マイコン２ｄは、ふろ給湯機１０から送られてくる機能情報に基づいて、ふろ給湯機１０の備えるわき増し機能に応じた情報（わき増し機能の設定を行なう際の動作に応じた情報）の通知制御（メッセージの表示制御や音声出力制御）やふろ給湯機１０の備えるわき増し機能に応じた機能設定（温度設定や湯量設定など）を行なう。マイコン２ｄは、ふろ給湯機１０の機能に応じた通知制御として、表示器２ｅへの出力命令（表示命令）や、音声ＩＣ２ｆへの音声フレーズの出力命令（発声命令や停止命令）を行なう。マイコン２ｄは、スイッチ２ｉからの押下信号を解析し、この解析結果に基づいて、貯湯式タンク内のお湯をわき増す機能が、動作状態か停止状態かを判断する。マイコン２ｄからの指示（通信信号）は、通信回路２ｃを介してふろ給湯機１０に送られる。
【００２９】
通信回路２ｃは、マイコン２ｄから送られてくる通信信号をふろ給湯システム１００内で送受信できる通信信号に変換してふろ給湯機１０に送信する。また、通信回路２ｃは、ふろ給湯機１０から送られてくる通信信号をマイコン２ｄで処理できる通信信号に変換してマイコン２ｄに送信する。
【００３０】
表示器２ｅは、液晶パネルなどの表示手段を備えて構成されている。表示器２ｅは、マイコン２ｄからの指示に基づいて、ふろ給湯機１０の機能情報に応じたメッセージなどを表示する。表示器２ｅは、例えば昼間わき増しを開始することを示すメッセージとして「昼間」の文字を表示する。
【００３１】
音声ＩＣ２ｆは、マイコン２ｄからの指示に基づいて、ふろ給湯機１０の機能情報に応じた音声フレーズなどを音声信号としてアンプ２ｇに出力する。音声ＩＣ２ｆは、例えば昼間わき増しを開始することを示す音声フレーズとして「昼間わき増しを開始します」の音声信号をアンプ２ｇに出力する。アンプ２ｇは、音声ＩＣ２ｆからの音声信号を増幅してスピーカ２ｈに出力する。スピーカ２ｈは、アンプ２ｇからの音声信号を音声フレーズとして出力する。
【００３２】
スイッチ２ｉは、表示器２ｅに表示するメニューを送るためのスイッチ（後述のメニュー送りスイッチ５ａ）、わき増しの設定温度や設定湯量などの値を上下させるためのスイッチ（後述のＵＰスイッチ５ｂ、ＤＯＷＮスイッチ５ｃ）などを備えている。スイッチ２ｉへは、昼間わき増し機能の開始指示や停止指示、深夜わき増し機能の開始指示や停止指示、わき増しの設定温度や設定湯量などの指示がユーザによって外部入力される。スイッチ２ｉは、ユーザから種々の指示を受け付けて、受け付けた指示をマイコン２ｄに送る。電源部２ｂは、通信回路２ｃ、マイコン２ｄ、表示器２ｅ、音声ＩＣ２ｆ、アンプ２ｇ、スピーカ２ｈ、スイッチ２ｉに電力を供給する。
【００３３】
浴室リモコン３０の制御部３ａは、電源部３ｂと、通信回路３ｃと、マイコン３ｄと、表示器３ｅと、音声ＩＣ３ｆと、アンプ３ｇと、スピーカ３ｈと、スイッチ３ｉとを備えている。浴室リモコン３０の制御部３ａは、台所リモコン２０の制御部２ａと同様の機能を有しているのでその説明は省略する。
【００３４】
ヒートポンプユニットの制御部４ａは、電源部４ｂと、通信回路４ｃと、マイコン４ｄを含んで構成されている。マイコン４ｄは、ふろ給湯システム１００内（ふろ給湯機１０、台所リモコン２０、浴室リモコン３０との間）で送受信する通信信号の解析や通信信号の送受信制御（通信回路４ｃの制御）を行うマイクロコンピュータである。マイコン４ｄは、ふろ給湯機１０からの指示（通信信号）に基づいて、貯湯式タンクのお湯を所定の設定湯量だけ所定のわき増し温度へわき上げさせる。
【００３５】
通信回路４ｃは、マイコン４ｄから送られてくる通信信号をふろ給湯システム１００内で送受信できる通信信号に変換してふろ給湯機１０に送信する。また、通信回路４ｃは、ふろ給湯機１０から送られてくる通信信号をマイコン４ｄで処理できる通信信号に変換してマイコン４ｄに送信する。
【００３６】
電源部４ｂは、通信回路４ｃやマイコン４ｄに電力を供給する。電源部１ｂと通信回路１ｃは、電源部２ｂ、通信回路２ｃ、電源部３ｂ、通信回路３ｃ、電源部４ｂ、通信回路４ｃに接続されている。
【００３７】
なお、ここでの通信回路２ｃ，３ｃが特許請求の範囲に記載の通信部や第２の通信部に対応し、ここでの音声ＩＣ２ｆ，３ｆ、アンプ２ｇ，３ｇ、スピーカ２ｈ，３ｈ、表示器２ｅ，３ｅが特許請求の範囲に記載の報知部に対応する。また、ここでのマイコン２ｄ，３ｄが特許請求の範囲に記載の制御部や第２の制御部に対応する。また、ここでの通信回路１ｂが特許請求の範囲に記載の第１の通信部に対応し、ここでのマイコン１ｄが特許請求の範囲に記載の第１の制御部に対応する。
【００３８】
つぎに、台所リモコン２０の構成について説明する。図３は、台所リモコンの構成を示す上面図である。図３では、図１に示した台所リモコン２０の表面側の概略構成を示している。
【００３９】
台所リモコン２０は、表面側にスイッチ２ｉと、表示器２ｅと、電子音や音声フレーズを出力するスピーカ２ｈとを配設している。図３に示した表示器２ｅでは、昼間わき増し機能と深夜わき増し機能の両方が停止している場合（表示状態）を示している。
【００４０】
スイッチ２ｉは、例えばメニュー送りスイッチ５ａと、ＵＰスイッチ５ｂと、ＤＯＷＮスイッチ５ｃと、決定スイッチ５ｄと、の４つのスイッチで構成されている。ユーザは、スイッチ２ｉを押下することによって、種々の設定項目（わき増しの設定温度や設定湯量など）を変更する。設定項目を変更する際には、例えば設定項目を階層構造で表示器２ｅに表示させる。そして、メニュー送りスイッチ５ａが押下された場合には、表示器２ｅに表示させる設定項目を変更する。ユーザは、メニュー送りスイッチ５ａを所定回数押下することによって変更したい設定項目を表示させる。また、ＵＰスイッチ５ｂが押下された場合には、設定項目の値（わき増しの設定温度など）を上げるよう変更し、ＤＯＷＮスイッチ５ｃが押下された場合には、設定項目の値を下げるよう変更する。さらに、決定スイッチ５ｄが押下された場合には、変更後の設定項目の値を確定させる。なお、浴室リモコン３０も台所リモコン２０と同様の構成を有している。
【００４１】
つぎに、表示器２ｅに表示させる情報について説明する。図４は、図３の台所リモコンが昼間わき増し機能を有した機種に接続された場合に表示器で表示する情報の一例を示す図である。台所リモコン２０の表示器２ｅは、台所リモコン２０が昼間わき増し機能を有した機種に接続された場合、表示エリアである点灯部６ａ〜６ｄを用いて種々の情報を表示する。
【００４２】
表示器２ｅは、昼間わき増し機能を有したふろ給湯機１０に接続されると、昼間わき増し機能が動作していることを示す例えば「昼間」の文字を点灯部６ａに点灯させる。また、表示器２ｅは、昼間わき増し機能に関する設定項目の変更指示がスイッチ２ｉを介して入力されると、「昼間」の文字を点灯部６ｂで点滅させる。
【００４３】
また、表示器２ｅは、昼間わき増し機能を開始させる指示がスイッチ２ｉを介して入力されると、「入」の文字を点灯部６ｃに点灯させ、昼間わき増し機能を停止させる指示がスイッチ２ｉを介して入力されると、「切」の文字を点灯部６ｄに点灯させる。
【００４４】
図５は、図３の台所リモコンが深夜わき増し機能を有した機種に接続された場合に表示器で表示する情報の一例を示す図である。台所リモコン２０の表示器２ｅは、台所リモコン２０が深夜わき増し機能を有した機種に接続された場合、表示エリアである点灯部７ａ，７ｂ，６ｃ，６ｄを用いて種々の情報を表示する。
【００４５】
表示器２ｅは、深夜わき増し機能を有したふろ給湯機１０に接続されると、深夜わき増し機能が動作していることを示す例えば「深夜」の文字を点灯部７ａに点灯させる。また、表示器２ｅは、深夜わき増し機能に関する設定項目の変更指示がスイッチ２ｉを介して入力されると、「深夜」の文字を点灯部７ｂで点滅させる。
【００４６】
また、表示器２ｅは、深夜わき増し機能を開始させる指示がスイッチ２ｉを介して入力されると、「入」の文字を点灯部６ｃに点灯させ、深夜わき増し機能を停止させる指示がスイッチ２ｉを介して入力されると、「切」の文字を点灯部６ｄに点灯させる。
【００４７】
つぎに、ふろ給湯システム１００の処理手順（制御処理の流れ）について説明する。図６は、実施の形態に係るふろ給湯システムの処理手順を示すフローチャートである。図６では、台所リモコン２０が昼間わき増し機能を有した機種に接続された場合のふろ給湯システム１００の処理手順について説明する。
【００４８】
台所リモコン２０が昼間わき増し機能を有したふろ給湯機１０に接続されると、ふろ給湯機１０のマイコン１ｄは、ふろ給湯機１０が昼間わき増し機能を有した機種であることを示す機種情報（通信信号）を通信回路１ｃへ出力する。この通信信号は、通信回路１ｃから台所リモコン２０の通信回路２ｃに送られる。
【００４９】
台所リモコン２０の通信回路２ｃは、ふろ給湯機１０からの機種情報受信し、マイコン２ｄに送る。マイコン２ｄは、ふろ給湯機１０からの機種情報が何れの機種を示しているかを判別する。マイコン２ｄは、例えばふろ給湯機１０が、昼間わき増し機能、深夜わき増し機能の何れであるかを判断する。ここでのマイコン２ｄは、昼間わき増しの機種情報であるか否かを判断する（ステップＳ１０）。
【００５０】
ふろ給湯機１０から受信した機種情報が昼間わき増しの機種情報である場合（ステップＳ１０、Ｙｅｓ）、台所リモコン２０のマイコン２ｄは、台所リモコン２０に昼間わき増し機能の設定を行なうことを確定する（ステップＳ２０）。マイコン２ｄは、例えばマイコン２ｄに内蔵されているメモリに、昼間わき増し機能を設定することを示すフラグをセットする。
【００５１】
一方、ふろ給湯機１０から受信した機種情報が昼間わき増しの機種情報でない場合（ステップＳ１０、Ｎｏ）、台所リモコン２０のマイコン２ｄは、台所リモコン２０に昼間わき増し機能の設定を行わないことを確定する（ステップＳ３０）。
【００５２】
台所リモコン２０のマイコン２ｄは、台所リモコン２０に昼間わき増し機能の設定を行なうか否かの何れかを確定させた後、メニュー送りスイッチ５ａが所定回数（昼間わき増し機能の項目を表示する回数）だけ押下されたか否かを判断する（ステップＳ４０）。
【００５３】
メニュー送りスイッチ５ａの押下によって昼間わき増し機能の項目が選択（表示）されていない場合（ステップＳ４０、Ｎｏ）、台所リモコン２０のマイコン２ｄは、メニュー送りスイッチ５ａが所定回数以上押下されるまで待機する。
【００５４】
メニュー送りスイッチ５ａの押下によって昼間わき増し機能の項目が選択されると（ステップＳ４０、Ｙｅｓ）、台所リモコン２０のマイコン２ｄは、昼間わき増し機能の設定を行なうか否かの何れを確定させたかを判別する（ステップＳ５０）。これにより、マイコン２ｄは、ふろ給湯機１０が昼間わき増し機能を使用できる機種であるか否かを判別する。
【００５５】
昼間わき増し機能の設定を行なうことが確定している場合（ステップＳ５０、Ｙｅｓ）、台所リモコン２０のマイコン２ｄは、表示器２ｅに昼間わき増しに関する情報を表示させる。表示器２ｅは、例えば図４に示した表示画面を表示する。これにより、昼間わき増し機能の動作を開始操作または停止操作できる状態となる（ステップＳ６０）。
【００５６】
表示器２ｅは、例えば「昼間」の文字を点灯部６ｂに点灯させることによって、変更できる設定項目が昼間わき増し機能であることを表示する。また、表示器２ｅは、昼間わき増し機能が動作中の場合には、点灯部６ｃの「入」の文字と、点灯部６ａの「昼間」の文字とを同期させて点滅させる。また、表示器２ｅは、昼間わき増し機能が停止中の場合には、「切」の文字を点灯部６ｄで点滅させる。昼間わき増し機能の動作状態（開始または停止）を変更する場合の変更操作は、ＵＰスイッチ５ｂやＤＯＷＮスイッチ５ｃの押下によって行なわれる。
【００５７】
一方、昼間わき増し機能の設定を行なわないことが確定している場合（ステップＳ５０、Ｎｏ）、台所リモコン２０のマイコン２ｄは、ふろ給湯機１０が昼間わき増し機能を使用できないので、台所リモコンの２表示器２ｅに昼間わき増し機能とは異なる他の機能（使用可能な機能）に関する情報を表示させる。そして、昼間わき増し機能の設定処理を終了する。なお、マイコン２ｄは、ステップＳ７０の処理で表示器２ｅに他の機能の表示を行なわせることなく、昼間わき増し機能の設定処理を終了させてもよい。
【００５８】
昼間わき増し機能の動作を開始操作または停止操作できる状態となった後、マイコン２ｄは、決定スイッチ５ｄが押下されたか否か（昼間わき増し機能の処理を確定させる操作があったか否か）を判断する（ステップＳ８０）。決定スイッチ５ｄが押下されていない場合（ステップＳ８０、Ｎｏ）、マイコン２ｄは、決定スイッチ５ｄが押下されるまで待機する。
【００５９】
決定スイッチ５ｄが押下されると（ステップＳ８０、Ｙｅｓ）、マイコン２ｄは、昼間わき増し機能の動作を開始させる設定（開始操作の入力）が行なわれたか、昼間わき増し機能の動作を停止させる設定（停止操作の入力）が行なわれたかを判別する（ステップＳ９０）。
【００６０】
昼間わき増し機能の動作を開始させる設定が行なわれていた場合（ステップＳ９０、Ｙｅｓ）、台所リモコン２０のマイコン２ｄから通信回路２ｃへ昼間わき増し機能の動作を開始させる指示（開始指示の通信信号）を出力する。通信回路２ｃはこの開始指示の通信信号をふろ給湯機１０に送信する。
【００６１】
ふろ給湯機１０のマイコン１ｄは、通信回路１ｃを介して台所リモコン２０から送られてくる開始指示の通信信号を受信する。これにより、マイコン２ｄは、昼間わき増し機能の動作を開始する。
【００６２】
このとき、台所リモコン２０のマイコン２ｄは、表示器２ｅに昼間わき増し機能の動作を開始したことを示す情報を表示させる。表示器２ｅは、例えば図４に示した表示画面を表示し、「入」の文字を点灯部６ｃに点灯させる。
【００６３】
また、台所リモコン２０のマイコン２ｄは、音声ＩＣ２ｆに昼間わき増し機能の動作を開始したことを示す音声フレーズ（音声信号）を出力させる。。この音声信号は、アンプ２ｇを介してスピーカ２ｈで出力（発声）される。スピーカ２ｈからは、例えば「昼間わき増しを開始します」の音声フレーズが出力される。これにより、昼間わき増し機能が動作し始めたことを音声によって操作者に通知する（ステップＳ１００）。
【００６４】
一方、昼間わき増し機能の動作を停止させる設定が行なわれていた場合（ステップＳ９０、Ｎｏ）、台所リモコン２０のマイコン２ｄから通信回路２ｃへ昼間わき増し機能の動作を停止させる指示（停止指示の通信信号）を出力する。通信回路２ｃはこの停止指示の通信信号をふろ給湯機１０に送信する。
【００６５】
ふろ給湯機１０のマイコン１ｄは、通信回路１ｃを介して台所リモコン２０から送られてくる停止指示の通信信号を受信する。これにより、マイコン２ｄは、昼間わき増し機能の動作を停止する。
【００６６】
このとき、台所リモコン２０のマイコン２ｄは、表示器２ｅに昼間わき増し機能の動作を停止したことを示す情報を表示させる。表示器２ｅは、例えば図４に示した表示画面を表示し、「切」の文字を点灯部６ｃに点灯させる。
【００６７】
また、台所リモコン２０のマイコン２ｄは、音声ＩＣ２ｆに昼間わき増し機能の動作を停止したことを示す音声フレーズ（音声信号）を出力させる。。この音声信号は、アンプ２ｇを介してスピーカ２ｈで出力（発声）される。スピーカ２ｈからは、例えば「昼間わき増しを停止します」の音声フレーズが出力される。これにより、昼間わき増し機能が停止したことを音声によって操作者に通知する（ステップＳ１１０）。
【００６８】
なお、深夜わき増し機能の設定処理も、図６のフローチャートと同様の処理手順によって行なうので、その説明は省略する。深夜わき増し機能を設定する際には、表示器２ｅに図５に示した表示画面を表示させる。また、浴室リモコン３０による昼間わき増し機能の設定処理や深夜わき増し機能の設定処理も図６のフローチャートと同様の処理手順によって行なうので、その説明は省略する。
【００６９】
このように、ふろ給湯システム１００では、減少してしまった貯湯式タンク内のお湯をわき増す機能が給湯機１０毎に設定されている場合に、何れの機種のふろ給湯機１０と台所リモコン２０が接続されても、台所リモコン２０が接続されたふろ給湯機１０のわき増し機能（機種）を自動的に認識しているので、切り替えスイッチなどによる機能の切り替え操作等が不要となる。したがって、台所リモコン２０は、使い勝手がよいものとなる。
【００７０】
また、台所リモコン２０に接続されたふろ給湯機１０の機種に応じてメッセージの報知内容や表示内容を選択するので、台所リモコン２０の操作性が悪くなることはない。また、ユーザ（操作者）がスイッチ２ｉの操作をするだけで、ふろ給湯機１０の機種に応じた制御動作を行なえるので、台所リモコン２０は操作者にとって使い勝手のよいものとなる。
【００７１】
なお、本実施の形態では、台所リモコン２０をふろ給湯機１０に接続した際に、昼間わき増し機能に関する設定を行なったが、他のタイミングで昼間わき増し機能に関する設定を行なってもよい。例えば、台所リモコン２０を立ち上げた際や台所リモコン２０をリセットした際に昼間わき増し機能に関する設定を行なってもよいし、台所リモコン２０に異常が発生した際に昼間わき増し機能に関する設定を行なってもよい。
【００７２】
また、本実施の形態では、台所リモコン２０をふろ給湯機１０に接続した際に、昼間わき増し機能に関する設定を行なったが、一度設定したわき増し機能の情報を記憶しておき、以後は記憶しておいたわき増し機能に応じた設定を行なってもよい。これにより、台所リモコン２０をふろ給湯機１０に接続する度にふろ給湯機１０のわき増し機能に関する設定を行なう必要がなくなる。したがって、効率良くわき増し機能に関する設定を行なうことが可能となる。
【００７３】
また、本実施の形態では、ふろ給湯システム１００が図６のフローチャートに従った制御処理を行なう場合について説明したが、図６の制御方法に限定されるものではなく、適宜各制御処理を変更してもよい。例えば、台所リモコン２０へ、予めふろ給湯機１０の機種に応じた制御プログラムをふろ給湯機１０の機種毎に用意しておく。そして、台所リモコン２０が１度ふろ給湯機１０の機種を確定させると、以後はこのふろ給湯機１０の機種に対応する制御プログラムを実行する。また、台所リモコン２０や浴室リモコン３０と、ふろ給湯機１０とを有線を介して接続する場合ついて説明したが、台所リモコン２０や浴室リモコン３０と、ふろ給湯機１０との間で無線によって通信信号を送受信してもよい。
【００７４】
また、本実施の形態では、台所リモコン２０が、昼間わき増し機能を有したふろ給湯機１０、深夜わき増し機能を有したふろ給湯機１０の何れかと接続し、接続したふろ給湯機１０に応じた機能設定を行なう場合について説明したが、ふろ給湯機１０は、この両方の機能を有した機種であってもよいし、この両方の機能を有していない機種であってもよい。台所リモコン２０が両方の機能を有したふろ給湯機１０に接続する場合、ふろ給湯機１０は、昼間わき増し機能の一部と深夜わき増し機能の一部を組み合わせた機能（中間機能）（組合せ機能）の機能情報を台所リモコン２０に送信してもよい。この場合、台所リモコン２０は、中間機能に応じた動作を行なう。
【００７５】
また、ふろ給湯機１０へは、昼間わき増し機能、深夜わき増し機能、中間機能、これら以外の機能（他機能）の４種類を設定できるよう構成しておいてもよい。この場合，台所リモコン２０は、昼間わき増し機能への動作設定に応じた情報、深夜わき増し機能への動作設定に応じた情報、組合せ機能への動作設定に応じた情報、他機能への動作設定に応じた情報の何れかをユーザに報知する。これにより、ふろ給湯機１０に種々のわき増し機能が設定可能な場合であっても、台所リモコン２０はふろ給湯機１０のわき増し機能に応じた動作を行なうことが可能となる。
【００７６】
また、本実施の形態では、減少してしまった貯湯式タンク内のお湯をわき増す機能に対し、台所リモコン２０を据付た際の、ふろ給湯機１０と台所リモコン２０との組合せに基づいた１つの機能を固定して用いているが、台所リモコン２０とふろ給湯機１０が用いる機能を固定しないこととしてもよい。
【００７７】
例えば、ふろ給湯機１０が、ふろ給湯システム１００の使用環境を所定の期間学習することによって、機能毎の優位性を判断する。そして、ふろ給湯機１０は、機能毎の優位性に関する判断結果に基づいて、減少した貯湯式タンク内のお湯をわき増す際に用いる機能をフレキシブルに変動させる。具体的には、ふろ給湯機１０は、貯湯式タンク内のお湯が、毎日所定量以上残っている使用状況の場合に、省エネする優位性があると判断し、深夜わき増し機能有り（使用許可）とする。一方、ふろ給湯機１０は、貯湯式タンク内のお湯が、毎日所定量以下になってしまう使用状況の場合に、貯湯式タンク内のお湯が切れてしまう可能性があると判断し、深夜わき増し機能を無し（使用禁止）とする。
【００７８】
また、本実施の形態では、ふろ給湯システム１００では、ふろ給湯機１０の通信回路１ｃが、台所リモコン２０、浴室リモコン３０、ヒートポンプユニット４０との間で共通の通信経路によって通信信号を送受信する構成としたが、台所リモコン２０と浴室リモコン３０との通信経路とは別に、ヒートポンプユニット４０専用の通信回路と通信経路を設けてもよい。
【００７９】
また、本実施の形態では、お湯のわき増し方式がヒートポンプ方式のふろ給湯機１０である場合について説明したが、お湯のわきあげ方式を従来のヒーター式の電気温水器としてもよい。この場合、熱源としてヒートポンプユニット４０の替わりに、ふろ給湯機１０にわき増し用ヒーターを内蔵させておく。そして、ふろ給湯機１０のわき増し用ヒーターを、ふろ給湯機１０の制御部１ａによって直接制御する。
【００８０】
このように実施の形態によれば、お湯のわき増し機能がふろ給湯機毎に設定されている場合に、台所リモコン２０と接続しているふろ給湯機のわき増し機能に応じた設定を台所リモコン２０に行なっているので、台所リモコン２０は接続中のふろ給湯機の有するわき増し機能に応じた動作を行なうことが可能となる。したがって、台所リモコン２０は多機種のふろ給湯機１０に対応することができる共通リモコンとして動作することが可能となる。これにより、台所リモコン２０を１機種のみ生産すればよく、台所リモコン２０の生産効率や物流効率、台所リモコン２０の提供に関するサービス効率が向上する。
【００８１】
また、台所リモコン２０の発注時や据付時に、ふろ給湯機１０と台所リモコン２０との機種違いが発生しなくなる。また、ふろ給湯機１０の機種に応じた音声や電子音等による報知機能や、情報を視覚的に認知させるための表示機能を、ふろ給湯機１０の機種間で統一していないので、従来から用いられてきたリモコンの操作性の良さを失うことはない。
【産業上の利用可能性】
【００８２】
以上のように、本発明に係るリモートコントローラおよびふろ給湯システムは、給湯機のわき増し機能に応じた動作に適している。
【図面の簡単な説明】
【００８３】
【図１】実施の形態に係る、ふろ給湯システムの構成を示すブロック図である。
【図２】図１に示したふろ給湯システムの詳細構成を示すブロック図である。
【図３】台所リモコンの構成を示す上面図である。
【図４】台所リモコンが昼間わき増し機能を有した機種に接続された場合に表示器で表示する情報の一例を示す図である。
【図５】台所リモコンが深夜わき増し機能を有した機種に接続された場合に表示器で表示する情報の一例を示す図である。
【図６】実施の形態に係るふろ給湯システムの処理手順を示すフローチャートである。
【符号の説明】
【００８４】
１ａ，２ａ，３ａ，４ａ  制御部
１ｂ，２ｂ，３ｂ，４ｂ  電源部
１ｃ，２ｃ，３ｃ，４ｃ  通信回路
１ｄ，２ｄ，３ｄ，４ｄ  マイコン
２ｅ，３ｅ  表示器
２ｆ，３ｆ  音声ＩＣ
２ｇ，３ｇ  アンプ
２ｈ，３ｈ  スピーカ
２ｉ，３ｉ  スイッチ
５ａ  メニュー送りスイッチ
５ｂ  ＵＰスイッチ
５ｃ  ＤＯＷＮスイッチ
５ｄ  決定スイッチ
６ａ〜６ｄ，７ａ，７ｂ  点灯部
１０  給湯機
２０  台所リモコン
３０  浴室リモコン
４０  ヒートポンプユニット
１００  給湯システム
【図１】
2008292038.tif 000003
【図２】
2008292038.tif 000004
【図３】
2008292038.tif 000005
【図４】
2008292038.tif 000006
【図５】
2008292038.tif 000007
【図６】
2008292038.tif 000008